(57)【要約】【課題】差込辺を開けても個装箱が展開しなく、しかも接着剤を使用しないで解体性を向上した新規な個装箱を提供することにある。【解決手段】個装箱の側面部を形成する内側側面部と外側側面部が重なる領域に、一部を除いて切り込みが施された係止部を形成し、この係止部を切り込みに沿って個装箱内に押し込むことで、個装箱の内側側面部と外側側面部が強固に係止されるようにした、これによれば、係止部を切り込みに沿って個装箱内に押し込むことで個装箱の内側側面部と外側側面部が強固に係止されるため、差込辺を開けた際に個装箱が容易に展開しないものである。また、解体に際して個装箱の上面部と下面部を引き離せば係止部の係合状態が容易に解除されるので解体が容易となる。【選択図】図１
2015128994.tif 000002
【特許請求の範囲】
【請求項１】
両端に一対の外側側面部を接続した矩形の第１の主面部と、両端に一対の内側側面部を接続した矩形の第２の主面部と、前記一対の外側側面部と前記一対の内側側面部の間で前記第１の主面部と前記第２の主面部を接続する背面部と、前記背面部の反対側の前記第１の主面部、或いは前記第２の主面部に接続された蓋面部及びこれに接続された差込面部とを備え、前記一対の内側側面部の外側に前記一対の外側側面部が重なり合うように折り曲げると共に、前記第１の主面部と前記第２の主面部、及び前記背面部と前記蓋面部が相対して対向するようにして折り曲げて形成され、内部に環形蛍光ランプが収納される蛍光ランプ用個装箱において、
前記一対の内側側面部と前記一対の外側側面部が重なり合う領域に、一部を除いて切り込みが施された係止部を形成し、前記環形蛍光ランプが収納された状態で前記係止部が前記切り込みに沿って内側に押し込まれていることで、前記一対の内側側面部と前記一対の外側側面部を係止することを特徴とする蛍光ランプ用個装箱。
【請求項２】
請求項１に記載の蛍光ランプ用個装箱において、
前記係止部は、前記一対の外側側面部と前記環形蛍光ランプの外周面が最も近接している付近の部分より前記背面部側に寄せて位置するか、或いは前記蓋面部側に寄せて位置するように形成されていることを特徴とする蛍光ランプ用個装箱。
【請求項３】
請求項２に記載の蛍光ランプ用個装箱において、
前記係止部は細長い矩形の形状を有していると共に、
前記係止部が前記背面部側に寄せて位置している場合は、前記係止部は前記背面部から遠い側の辺と、この辺に繋がる両側の辺が切り込まれていると共に、前記係止部の先端側は前記背面部に近づく側に押し込まれ、
前記係止部が前記背面部側に寄せて位置している場合は、前記係止部は前記蓋面部から遠い側の辺と、この辺に繋がる両側の辺が切り込まれていると共に、前記係止部の先端側は前記蓋面部に近づく側に押し込まれることを特徴とする蛍光ランプ用個装箱。
【請求項４】
請求項２に記載の蛍光ランプ用個装箱において、
前記一対の外側側面部に形成された係止部の形状は、前記一対の内側側面部に形成された係止部の形状より大きいことを特徴とする蛍光ランプ用個装箱。
【請求項５】
請求項１に記載の蛍光ランプ用個装箱において、
前記係止部は、前記一対の外側側面部と前記環形蛍光ランプの外周面が最も近接している付近の部分より前記背面部側に寄せて位置するように形成されると共に、前記蓋面部側に寄せて位置するように形成されていることを特徴とする蛍光ランプ用個装箱。
【発明の詳細な説明】
【技術分野】
【０００１】
本発明は蛍光ランプ等を収納する蛍光ランプ用個装箱に係り、特に環形蛍光ランプを収納する蛍光ランプ用個装箱に関するものである。
【背景技術】
【０００２】
従来、環形蛍光ランプはその環径と蛍光管の直径に合わせて製造された直方体の個装箱に収納されていた。このような個装箱は、例えば特開２０１０‐１６８０９７号公報（特許文献１）の図７に示されている。
【０００３】
この特許文献１に記載された個装箱は、例えば一枚の板状の厚紙、或いは段ボール紙を所定の展開図に基づいて切断し、この切り取られた厚紙或いは段ボール紙を所定の折曲線に従って折り曲げ、糊代をホットメルト等の接着剤で接合して形成されている。これにより、個装箱の上面部及び下面部の周囲の３辺が、２つの側面部、背面部によって一定間隔に保たれて固定されることで、内部に収納空間を備えた筺体が得られるようになっている。
【０００４】
更に、個装箱に環形蛍光ランプを収納した後、補強片を内側に折り曲げ、更に蓋面部に延設された差込面を筐体内部へ差し込むようにしている。これにより、環形蛍光ランプは、２つの側面部、背面部、及びと蓋面部によって４つの辺が一定間隔に保たれて固定された上面部及び下面部からなる個装箱に収納され、汚損が防止されると共に、外部からの圧力による環形蛍光ランプの破損を防止している。
【０００５】
個装箱の上面部及び下面部等の外側の表面には、内部に収納する環形蛍光ランプの商品名や型番、仕様、取り扱い上の注意事項、製造業者名等を予め印刷しておくことができる。
【先行技術文献】
【特許文献】
【０００６】
【特許文献１】特開２０１０‐１６８０９７号公報
【発明の概要】
【発明が解決しようとする課題】
【０００７】
上述したように、特許文献１にある個装箱は、切り取られた厚紙或いは段ボール紙を所定の折曲線に従って折り曲げ、下面部に接続された内側側面部と上面部に接続された外側側面部が重なる部分をホットメルト等の接着剤で接合して形成されている。このようにホットメルトによる接着を行う理由は、環形蛍光ランプを梱包している個装箱の内側側面部と外側側面部が重なる部分を接着していないと、環形蛍光ランプを取り出すために差込面を開けた際に個装箱が展開して環形蛍光ランプが落ちてしまって破損するという事故を防ぐためである。
【０００８】
ところで、購入者は個装箱に収納された環形蛍光ランプを購入した後に個装箱をごみとして廃棄するわけであるが、マンション等の集合住宅では個装箱を解体し板状にして廃棄することが次第に要求されてきている。しかしながら、このように個装箱の内側側面部と外側側面部が重なる領域部分を接着していると、個装箱を廃棄する場合に個装箱の内側側面部と外側側面部の重なる領域部分が接着剤でしっかりと固定されているため解体しにくいといった問題点がある。特に、高齢者等の購入者にとっては解体し易い、所謂解体性を向上した個装箱の出現が強く望まれている。
【０００９】
本発明の目的は、差込面を開けても個装箱が展開しなく、しかも接着剤を使用しないようにして解体性を向上した新規な個装箱を提供することにある。
【課題を解決するための手段】
【００１０】
本発明の特徴は、個装箱の側面部を形成する内側側面部と外側側面部が重なる領域に、一部を除いて切り込みが施された係止部を形成し、個装箱を組み立てた状態でこの係止部を切り込みに沿って個装箱の内側に押し込むことで、個装箱の内側側面部と外側側面部が所定の係合力を有して係止されるようにした、ところにある。
【発明の効果】
【００１１】
本発明によれば、係止部を切り込みに沿って個装箱の内側に押し込むことで個装箱の内側側面部と外側側面部が強固に係止されるため、差込面を開けた際に個装箱が容易に展開しないものである。また、解体に際して個装箱の上面部と下面部を引き離せば、接着剤を使用していないので係止部の係合状態が容易に解除されて解体が容易となるものである。
【図面の簡単な説明】
【００１２】
【図１】本発明の一実施例になる個装箱を展開した展開図である。
【図２】本発明の個装箱を組み立てて環形蛍光ランプを収納している状態を示す斜視図である。
【図３】本発明の個装箱を組み立てて環形蛍光ランプを収納した後に係止部を個装箱内に押し込んだ状態を示す斜視図である。
【図４Ａ】本発明の個装箱を組み立てて環形蛍光ランプを収納した後の個装箱を側面から見た側面図である。
【図４Ｂ】図４ＡのＢ−Ｂ断面を示す断面図である。
【図４Ｃ】図４ＡのＣ−Ｃ断面を示す断面図である。
【発明を実施するための形態】
【００１３】
次に、本発明の実施形態について図面を用いて詳細に説明するが、本発明は以下の実施形態に限定されることなく、本発明の技術的な概念の中で種々の変形例や応用例をもその範囲に含むものである。
【００１４】
図１は本発明の一実施例になる個装箱１０の展開図である。個装箱１０は内部に環形蛍光ランプを収納する直方体として構成されており、この直方体を作るのに次のような部品から構成されている。
【００１５】
参照番号１１は個装箱１０の第１の主面部（以下、上面部という）であり、この上面部１１は背面部１２を介して第２の主面部（以下、下面部という）１３と接続されている。上面部１１と下面部１３は夫々矩形に形成されており、背面部１２と接続される上面部１１及び下面部１３の境界線である折曲線１４、１５で上面部１１と下面部１３は折り曲げられ、上面部１１と下面部１３とは相対して対向する構成となる。
【００１６】
背面部１２に接続される上面部１１の折曲線１４の両側の辺には一対の外側側面部１６が接続されており、折曲線１４と直交する折曲線１７で上面部１１に対して直立するように折り曲げられる。また、一対の外側側面部１６の両端には補強辺１６Ａ、１６Ｂが接続されており、これらの補強片１６Ａ、１６Ｂも外側側面部１６に対して直立するように折り曲げられる。
【００１７】
同様に、背面部１２に接続される下面部１３の折曲線１５の両側の辺には一対の内側側面部１８が接続されており、折曲線１４と直交する折曲線１９で下面部１３に対して直立するように折り曲げられる。
【００１８】
尚、外側側面部１６と内側側面部１８は夫々入れ替えられて良く、外側側面部１６が内側側面部１８に変更され、内側側面部１８が外側側面部１６に変更されても良いものである。
【００１９】
更に、下面部１３の背面部１２と接続される反対側の辺には蓋面部２０が接続されており、折曲線２１で下面部１１に対して直立するように折り曲げられる。従って、背面部１２と蓋面部２０とは相対して対向する構成となる。また、蓋面部２０の先端側には差込面部２２が接続されており、この差込面部２２は折曲線２３で蓋面部２０に対して直立するように折り曲げられる。尚、蓋面部２０は上面部１１側に形成しても良いことはいうまでもない。
【００２０】
このような展開面を有する個装箱においては、上面部１１に接続された外側側面部１６の両端に接続した補強片１６Ａ、１６Ｂを折り曲げて外側側面部に１６に対して直立させ、更に上面部１１に接続した外側側面部１６を折り曲げて上面部１１に対して直立させる。また、同様に下面部１３に接続された内側側面部１８を折り曲げて下面部１３に対して直立させる。
【００２１】
このような状態において、補強片１６Ａを背面部１２と内側側面部１８の端部で挟み込むように折曲線１４、１５で折り曲げる。これによって内側側面部１８は外側側面部１６の内側で、外側側面部１６と接触するように重なり合うことになる。この状態で、上面部１１と下面部１３が相対して対向し、同様に一対の外側側面部１６と一対の内側側面部１８が重なり、これらが相対して対向することになる。更に背面部１２も形成されているのでこれによって直方体の個装箱１０が組み立てられたことになる。次に、環形蛍光ランプを収納した後に折り曲げられた補強片１６Ｂの上から蓋面部２０を被せ、更に差込面部２２を上面部１１の内側に差し込んで最終的に組み立てが完了するものである。
【００２２】
ここで外側側面部１６と内側側面部１８の一部には覗き窓２４が形成されており、個装箱１０を組み立てた状態で両側面部１６、１８に形成した覗き窓２４が重なるものである。この覗き窓２４は、個装箱１０に環形蛍光ランプが収納されているかどうかを確認するためと、収納された環形蛍光ランプにマイクロ波を印加して環形蛍光ランプが正常に発光しているかどうかの発光状態を確認するために設けているものである。
【００２３】
以上の構成は既によく知られている構成であるので、これ以上の説明は省略する。そして、本実施例においては以下の構成を採用していることを特徴としている。
【００２４】
本実施例では、図１にあるように一対の外側側面部１６と一対の内側側面部１８に細長い矩形状の係止部２５を構成する切り込み２６が形成されている。この切り込み２６によって形成された係止部２５は、個装箱１０が組み立てられた状態で、個装箱１０の側面部を形成する外側側面部１６と内側側面部１８が重なる領域において、一部を除いて切り込み２６が施されて形成されている。つまり、外側側面部１６と内側側面部１８には背面部１２を境にほぼ対称な位置にほぼ同一形状の係止部２５が形成されている。したがって、外側側面部１６と内側側面１８の係止部２５は、組み立てられた状態でほぼ同じ位置に形成されていることになる。
【００２５】
切り込み２６は連続した切断線であっても良いし、ミシン目のような所定間隔毎に設けられた切断線であっても良いものである。
【００２６】
図２、図３に個装箱１０を組み立てて環形蛍光ランプＬＰを収納している状態と、環形蛍光ランプＬＰを収納した後に係止部２５を個装箱１０の内側に押し込んだ状態を示している。
【００２７】
図１乃至図３からわかるように、矩形状の係止部２５は３辺よりなる切り込み２６によって形成されている。本実施例の場合では、係止部２５は個装箱１０の中央部分Ｔ（外側側面部１６と環形蛍光ランプＬＰの外周面が最も近接している付近の部分）より背面部１２側に寄せて位置するように形成されている。この理由は、蓋面部２０が差し込まれる部分からの長さを長くして、係止部２５の係合を解除するための力をできるだけ軽減するためである。つまり、背面部１２を支点とすると、背面部１２に近い方が上面部１１と下面部１３を引き離す力が少なくて済むからである。これによって、解体するための力が少なくて済むので解体性を向上することができる。
【００２８】
また、係止部２５は背面部１２に近い側の辺を両側面部１６、１８と接続し、背面部１２から遠い側の辺と、この辺に繋がる両側の辺が切り込まれているので、係止部２５の先端側は背面部１２に近づく側に押し込まれることになる。これによって、係止部２５があった部分は貫通された貫通開口となって個装箱１０内を覗きこむことができるようになる。
【００２９】
したがって、従来の個装箱１０に備えられていた覗き窓２４を省略することができるので、外側側面部１６と内側側面部１８の強度を高めることができる。つまり、係止部２５を形成した後の切り込み２６によって形成される貫通開口と覗き窓２４の両方があると、外側側面部１６と内側側面部１８の強度が低下する恐れがある。一方、本実施例のように、係止部２５を形成した後の切り込み２６によって形成される貫通開口で覗き窓２４の機能を代替できる。このため、覗き窓２４を省略することができるので外側側面部１６と内側側面部１８の強度を高めることができる。
【００３０】
更に、図４Ａは個装箱１０の側面図を示しており、図４Ｂは図２ＡのＢ−Ｂ断面、図４Ｃは図２ＡのＣ−Ｃ断面を示している。これらの図からわかるように個装箱１０が組み立てられて環形蛍光ランプＬＰが収納された後に、外側側面部１６と内側側面部１８に形成された係止部２５は個装箱１０の内側に折り曲げられて、内側側面部１８の切り込み２６で形成された開口を外側側面部１６の係止部２５が貫通して係合するものである。
【００３１】
ここで、内側側面部１８に形成した係止部２５は個装箱１０の内側に押し込まれて外側側面部１６と係合しないので、外側側面部１６と内側側面部１８の間の係合機能は有さないが、押し込まれた状態で外側側面部１６に形成した係止部２５が元の折り込まれる前の位置に戻るのを抑制している。つまり、押し込まれた係止部２５が環形蛍光ランプＬＰによって押されることで係止部２５が元の位置に戻ろうとするが、内側側面部１８の係止部２５があることでその抵抗力が増え、外側側面部１６の係止部２５が元の位置に戻るのを抑制することができる。
【００３２】
このように、本実施例によれば係止部２５によって内側側面部１８と外側側面部１６が係合されるので、環形蛍光ランプＬＰを取り出すために差込面部２２を開けた際に個装箱１０が展開して環形蛍光ランプＬＰが落ちてしまうという事故を防ぐことができる。
【００３３】
また、個装箱１０を解体するには、上面部１１と下面部１２を所定の力を掛けて引き離せば、外側側面部１６の係止部２５は容易に内側側面部１８の開口から係合状態を解除されるので容易に個装箱１０を解体することができる。
【００３４】
特許文献１にあるように、従来の個装箱は、環形蛍光ランプＬＰを取り出すために差込面部２２を開けた際に個装箱１０が展開して環形蛍光ランプＬＰが落ちてしまうという事故を防ぐため、内側側面部１８と外側側面部１６が重なる部分をホットメルト等の接着剤で接合して形成されている。しかしながら、このように個装箱１０の内側側面部１８と外側側面部１６が重なる領域部分を接着していると、個装箱１０を廃棄する場合に個装箱１０の内側側面部１８と外側側面部１６の重なる領域部分が接着剤でしっかりと固定されているため解体しにくいといった問題点がある。
【００３５】
これに対して、本実施例によれば係止部２５を切り込み２６に沿って個装箱１０の内側に押し込むことで、個装箱１０の内側側面部１８と外側側面部１６が強固に係止されるため、差込面部２２を開けた際に個装箱１０が容易に展開しないものである。また、解体に際して個装箱１０の上面部１１と下面部１２を引き離せば係止部２５の係合状態が容易に解除されるので解体が容易となるものである。
【００３６】
上述した実施例によれば、係止部２５は個装箱１０の中央部分Ｔより背面部１２側に寄せて位置するように形成されているが、次に述べるような位置に設けることも可能である。
【００３７】
すなわち、係止部２５を個装箱１０の中央部分Ｔより蓋面部２０側に寄せて位置するように形成することもできる。この場合、係止部２５は蓋面部２０に近い側の辺を両側面部１６、１８と接続し、蓋面部２０から遠い側の辺とこの辺に繋がる両側の辺が切り込まれているので、係止部２５の先端側は蓋面部２０に近づく側に押し込まれることになる。
【００３８】
これによって、環形蛍光ランプＬＰが収納された状態で、環形蛍光ランプＬＰが蓋面部２０側に移動してきても、係止部２５はこれを受け止めるように機能する。このため、不注意で蓋面部２０側を下にして蓋面部２０を開いても、係止部２５によって環形蛍光ランプＬＰの移動が阻止されて環形蛍光ランプＬＰが落下することが無く、破損を防止することができるという効果を奏することができる。
【００３９】
また、本実施例では、外側側面部１６と内側側面部１８に形成した係止部２５の形状はほぼ同じ形状（合同関係）であった。これによると外側側面部１６に形成した係止部２５が、内側側面部１８に形成した係止部２５を押し込んだ後に形成される貫通開口に押し込まれるが、両者の幅がほぼ同じであるためその係合力はそれなりのものである。これは、体力がそれほど強くない購入者にとっては都合が良いが、反面では展開し易いという側面も併せ有している。このため、係合力を更に強くするためには次のような構成を採用することが有利である。
【００４０】
すなわち、外側側面部１６に形成する係止部２５の形状を、内側側面部１８に形成する係止部２５の形状より大きくする構成とした。これによると外側側面部１６に形成した係止部２５が、内側側面部１８に形成した係止部２５を押し込んだ後に形成される貫通開口に押し込まれるが、外側側面部１６に形成した係止部２５の幅の方が貫通開口より大きいので、両者の間にはより大きい係合力を生じさせることができる。
【００４１】
したがって、個装箱１０を展開し難い構成にする場合は上述したように、外側側面部１６の係止部２５の形状を内側側面部１８の係止部２５の形状より大きくすれば良いものである。
【００４２】
尚、上述した実施例によれば、係止部２５は個装箱１０の中央部分Ｔより背面部１２側、或いは蓋面部２０側に寄せて位置するように形成されているが、背面部１２側、及び蓋面部２０側の両方に寄せて位置するように形成することもできる。
【００４３】
また、本実施例では係止部２５は細長い矩形状に形成しているがこれに限定されること無く、任意の形状に形成することができる。例えば、一方が両側面部１６、１８に接続された楕円状の係止部２５であっても良く、更には三角形状の係止部２５であっても良いものである。更には、内側側面部１８の係止部２５が矩形であり、外側側面部１６の係止部２５が楕円状、或いは三角形状であると、押し込み深さが深くなるにしたがって係合力を大きくできるという新たな効果を奏することができる。
【００４４】
上述した実施例では、係止部２５は細長い矩形の形状を有していると共に、係止部２５が背面部１２側に寄せて位置している場合は、係止部２５は背面部１２から遠い側の辺と、この辺に繋がる両側の辺が切り込まれていると共に、係止部２５の先端側は前記背面部に近づく側に押し込まれる構成としている。
【００４５】
また、係止部２５が蓋面部２０側に寄せて位置している場合は、係止部２５は蓋面部２０から遠い側の辺と、この辺に繋がる両側の辺が切り込まれていると共に、係止部２５の先端側は蓋面部２０に近づく側に押し込まれる構成としている。
【００４６】
しかしながら、外側側面部１６と内側側面部１８を係止するためで有れば、上述したような係止部２５の切り込み２６である必要はなく、次のような構成とすることもできる。
【００４７】
つまり、係止部２５が背面部１２側に寄せて位置している場合は、係止部２５は背面部１２に近い側の辺と、この辺に繋がる両側の辺が切り込まれていると共に、係止部２５の先端側は前記背面部から遠ざかる側に押し込まれる構成としても良いものである。
【００４８】
また、係止部２５が蓋面部２０側に寄せて位置している場合は、係止部２５は蓋面部２０に近い側の辺と、この辺に繋がる両側の辺が切り込まれていると共に、係止部２５の先端側は蓋面部２０から遠ざかる側に押し込まれる構成としても良いものである。
【００４９】
以上述べた通り、本発明は個装箱の側面部を形成する内側側面部と外側側面部が重なる領域に、一部を除いて切り込みが施された係止部を形成し、個装箱を組み立てた状態でこの係止部を切り込みに沿って個装箱の内側に押し込むことで、個装箱の内側側面部と外側側面部が所定の係合力を有して係止されるようにしている。
【００５０】
これによって、係止部を切り込みに沿って個装箱の内側に押し込むことで個装箱の内側側面部と外側側面部が強固に係止されるため、差込面を開けた際に個装箱が容易に展開しないものである。また、解体に際して個装箱の上面部と下面部を引き離せば接着剤を使用していないので係止部の係合状態が容易に解除されて解体が容易となるものである。
【符号の説明】
【００５１】
１０…個装箱、１１…上面部、１２…背面部、１３…下面部、１４…折曲線、１５…折曲線、１６…外側側面部、１７…折曲線、１８…内側側面部、１９…折曲線、２０…蓋面部、２１…折曲線、２２…差込面部、２３…折曲線、２４…覗き窓、２５…係止部、２６…切り込み、ＬＰ…環形蛍光ランプ。
【図１】
2015128994.tif 000003
【図２】
2015128994.tif 000004
【図３】
2015128994.tif 000005
【図４Ａ】
2015128994.tif 000006
【図４Ｂ】
2015128994.tif 000007
【図４Ｃ】
2015128994.tif 000008